(57)【要約】      （修正有）【課題】セット時に擬餌鉤を確実に保持でき、投入時に確実に、かつスムーズに投入することができる擬餌鉤投入補助具を提供する。【解決手段】擬餌鉤投入補助具の一例である餌木投入補助具は、釣糸が接続される餌木５０の基端５１ａを排出側に、釣針５３が形成された先端５１ｂを奥側に向けて、餌木が配置される収容部２０と、収容部が並べられた設置用板部３０とを備えている。餌木投入補助具の収容部２０には、釣針を吸着する磁石４０が奥部に設けられ、餌木の排出側Ｓ１および上方側Ｓ３が、餌木が通過可能な開放状態に形成されている。これにより、スムーズに餌木を収容部から連続して排出でき、海面へ投入することができる。【選択図】図４
0003207159.tif 000002
【実用新案登録請求の範囲】
【請求項１】
釣糸が接続される擬餌鉤の基端を排出側に、釣針が形成された先端を奥側に向けて、前記擬餌鉤が配置される収容部と、前記収容部が並べられた設置用板部とを備え、
前記収容部は、前記釣針を吸着する磁石が奥部に設けられ、前記擬餌鉤の排出側および前記擬餌鉤の上方側が、前記擬餌鉤が通過可能な開放状態に形成された擬餌鉤投入補助具。
【請求項２】
前記収容部は、前記設置用板部に固定された底面部と、前記底面部の両側部に前記擬餌鉤の長さ方向に沿って立設された側壁部と、前記奥部を形成する奥壁部とにより形成された請求項１記載の擬餌鉤投入補助具。
【請求項３】
前記側壁部は、前記奥壁部の間隔より前記排出側の間隔の方が拡がった請求項２記載の擬餌鉤投入補助具。
【請求項４】
前記奥壁部の背部は、前記設置用板部に向かって下る傾斜面に形成された請求項２または３記載の擬餌鉤投入補助具。
【請求項５】
前記磁石は、少なくとも前記釣針に接する第１磁石と、前記第１磁石を前記奥壁部に固定するための第２の磁石とを備えた請求項２から４のいずれかの項に記載の擬餌鉤投入補助具。
【請求項６】
前記設置用板部は、おもて面側が起毛部材により形成された請求項１から５のいずれかの項に記載の擬餌鉤投入補助具。
【請求項７】
前記設置用板部は、裏面側が不透水性部材により形成された請求項１から６のいずれかの項に記載の擬餌鉤投入補助具。
【請求項８】
前記設置用板部は、裏面側が凹凸面に形成された請求項１から７のいずれかの項に記載の擬餌鉤投入補助具。
【請求項９】
前記設置用板部は、前記収容部の配列方向に並ぶ第１領域および第２領域を備え、
前記第１領域と前記第２領域とを向かい合わせで重ね合わせた状態のときに、前記第１領域に配置された前記収容部の間に、前記第２領域に配置された前記収容部が位置する請求項１から８のいずれかの項に記載の擬餌鉤投入補助具。
【請求項１０】
前記設置用板部は、前記第１領域および前記第２領域にて分割され、
前記第１領域と前記第２領域とは連結部材により連結された請求項９記載の擬餌鉤投入補助具。
【考案の詳細な説明】
【技術分野】
【０００１】
本考案は、擬餌鉤を船縁から海面に投入する際に使用される擬餌鉤投入補助具に関するものである。
【背景技術】
【０００２】
イカを釣るときに使用される擬餌鉤は、餌木やイカ角、スッテと称されるものが知られている。擬餌鉤は、餌を模した本体部と、本体部の基端に釣糸を繋ぐためのリング状の接続部と、本体部の先端にイカを引っ掛けるための釣針とを有している。この餌木を釣船から海面に投入するときには、擬餌鉤投入補助具が使用される。
【０００３】
例えば、従来の擬餌鉤投入補助具として、特許文献１，２に記載のものが知られている。
【０００４】
特許文献１に記載のイカ釣りの角のセット具は、中央に凹部を持つ長方形の箱状の本体があり、凹部の長手方向に長板を渡し、長板にスプリングを捲回し、スプリング間にイカ釣りの角を挿入するというものである。
【０００５】
特許文献２に記載のイカヅノ投入器は、多数本の筒体を、２列で千鳥状に配列すると共に上段列の筒体の先端位置が下段列の筒体の先端位置よりも後方へずらして装着させ、更に筒体の開口側には糸絡み防止用の切溝を形成したものである。
【先行技術文献】
【特許文献】
【０００６】
【特許文献１】実開昭６０−１４１７７９号公報
【特許文献２】実開平６−５５３６９号公報
【考案の概要】
【考案が解決しようとする課題】
【０００７】
特許文献１に記載のイカ釣りの角のセット具では、イカ釣りの角をスプリング間に挿入しているため、イカ釣りの角（擬餌鉤）を横一列に並べることができ、順序良く投入できる。しかし、特許文献１に記載のイカ釣りの角のセット具は、スプリングの挟持によりしっかりと擬餌鉤が保持されているため、釣糸にぶら下がる錘の投入に引きずられるようにして擬餌鉤が引き出され難いので、手動によりスプリングから１つずつ擬餌鉤を外しながら投入して使用するもの思われる。従って、投入操作が煩雑である。
【０００８】
特許文献２に記載のイカヅノ投入器は、筒体に擬餌鉤を収納しておくと、錘の投入に引きずられて擬餌鉤が飛び出して、擬餌鉤を海面に投入できるものである。しかし、釣糸が擬餌鉤に対して鋭角になると、擬餌鉤の先端部が持ち上がり筒体の中で斜めになって引っ掛かり、擬餌鉤が投入できないおそれがある。
【０００９】
そこで本考案は、セット時に擬餌鉤を確実に保持でき、投入時に確実に、かつスムーズに投入することができる擬餌鉤投入補助具を提供することを目的とする。
【課題を解決するための手段】
【００１０】
本考案の擬餌鉤投入補助具は、釣糸が接続される擬餌鉤の基端を排出側に、釣針が形成された先端を奥側に向けて、前記擬餌鉤が配置される収容部と、前記収容部が並べられた設置用板部とを備え、前記収容部は、前記釣針を吸着する磁石が奥部に設けられ、前記擬餌鉤の排出側および前記擬餌鉤の上方側が、前記擬餌鉤が通過可能な開放状態に形成されたことを特徴とする。
【００１１】
本考案の擬餌鉤投入補助具によれば、収容部の奥部に、釣針を吸着する磁石が設けられているため、釣針が形成された先端を奥側に向けて擬餌鉤を収容部に収納すれば、擬餌鉤を収容部に仮固定することができる。そして、擬餌鉤を海面へ投入するときに、道糸に繋がった錘を、勢い良く海面へ放り投げれば、擬餌鉤が排出側に向かって引き出されながら、収容部の排出側の端部を支点として、擬餌鉤が円弧を描きながら持ち上がる。収容部は、排出側および上方側を、擬餌鉤が通過可能な開放状態としているため、収容部に邪魔されることなく、スムーズに移動して、収容部から引き出されるので、次々と擬餌鉤を海面へ投入することができる。
【００１２】
前記収容部を、前記設置用板部に固定された底面部と、前記底面部の両側部に前記擬餌鉤の長さ方向に沿って立設された側壁部と、前記奥部を形成する奥壁部とにより形成することができる。収容部を、底面部と、側壁部と、奥壁部とにより形成することにより、収容部を、擬餌鉤の排出側および擬餌鉤の上方側を、擬餌鉤が通過可能な開放状態とすることができる。
【００１３】
前記側壁部は、前記奥壁部の間隔より前記排出側の間隔の方が拡がっていることが望ましい。擬餌鉤が配列方向にずれたとしても、擬餌鉤の先端が側壁部より高い位置まで持ち上がれば、拡がった側壁部の排出側で、擬餌鉤が斜めになりながら、擬餌鉤を収容部から落下させることができる。従って、擬餌鉤の姿勢が傾斜しても、スムーズに収容部から排出することができる。
【００１４】
前記奥壁部の背部は、前記設置用板部に向かって下る傾斜面に形成されていることで、釣糸を収容部の背面側へ引いた状態から収容部の排出側へ回すときに、釣糸を、奥壁部に引っ掛かることなく傾斜面に摺動させながら、収容部の排出側へ回り込ませることができる。
【００１５】
前記磁石が、少なくとも前記釣針に接する第１磁石と、前記第１磁石を前記奥壁部に固定するための第２の磁石とを備えていると、第１磁石が錆び付いて腐食しても、第１磁石のみを交換すれば、腐食により弱まった磁力を元の状態に戻すことができる。
【００１６】
前記設置用板部のおもて面側が起毛部材により形成されていると、擬餌鉤の釣針を引っ掛けておくことができる。
【００１７】
前記設置用板部は、裏面側が不透水性部材により形成されていると、設置場所が濡れていても、おもて面側に滲み出ることもなく安心して使用することができる。
【００１８】
前記設置用板部の裏面側が凹凸面に形成されていると、釣船に設置したときに、凹凸面が滑り止めとして機能するため、船が揺れても滑り落ちることが防止できる。
【００１９】
前記設置用板部は、前記収容部の配列方向に並ぶ第１領域および第２領域を備え、前記第１領域と前記第２領域とを向かい合わせで重ね合わせた状態のときに、前記第１領域に配置された前記収容部の間に、前記第２領域に配置された前記収容部が位置することが望ましい。第１領域と前記第２領域とを向かい合わせで重ね合わせるときに、第１領域に配置された収容部の間に、第２領域に配置された収容部が位置することで、収容部同士が当たらないため、嵩張らずに折り畳むことができる。
【００２０】
前記設置用板部は、前記第１領域および前記第２領域にて分割され、前記第１領域と前記第２領域とは連結部材により連結されていると、第１領域と前記第２領域とを向かい合わせで重ね合わせるときに、設置用板部を折り畳みやすく、第１領域および第２領域とがばらばらにならない。
【考案の効果】
【００２１】
本考案の擬餌鉤投入補助具によれば、セット時には磁石により仮固定でき、投入時には擬餌鉤が収容部に邪魔されることなく、スムーズに移動して、収容部から引き出され、次々と擬餌鉤を海面へ投入することができる。よって、本考案の擬餌鉤投入補助具は、セット時に擬餌鉤を確実に保持でき、投入時に確実に、かつスムーズに投入することができる。
【図面の簡単な説明】
【００２２】
【図１】本考案の実施の形態に係る餌木投入補助具を示す斜視図である。
【図２】図１に示す餌木投入補助具の収容部を背面側から見た拡大斜視図である。
【図３】図１に示す餌木投入補助具にて使用される餌木を説明するための図である。
【図４】図１に示す餌木投入補助具に、図３に示す餌木をセットした状態の斜視図である。
【図５】図４に示す餌木投入補助具に餌木をセットした状態の部分拡大図である。
【図６】図１に示す餌木投入補助具を折り畳んだ状態を説明するための図である。
【考案を実施するための形態】
【００２３】
本考案に係る擬餌鉤投入補助具を、餌木を海面へ投入するときに使用される餌木投入補助具を例に、図面に基づいて説明する。
図１に示す本実施の形態に係る餌木投入補助具１０は、イカ釣り用に使用されるものである。餌木投入補助具１０は、擬餌鉤の一例である餌木が配置される収容部２０と、収容部２０が並べられた設置用板部３０とを備えている。
【００２４】
収容部２０は、釣糸が接続される餌木の基端を排出側Ｓ１に向け、釣針が形成された餌木の先端を奥側Ｓ２に向けた状態で、餌木を収納する。収容部２０は、餌木の排出側Ｓ１および擬餌鉤の上方側Ｓ３を、餌木が通過可能な開放状態としている。
【００２５】
図１および図２に示すように、収容部２０は、設置用板部３０に固定された底面部２１と、底面部２１の両側部に餌木の長さ方向Ｆ１に沿って立設された側壁部２２と、収容部２０の奥部を形成する奥壁部２３とにより形成されている。
底面部２１と一対の側壁部２２とは、金属製の板材をコ字状に折り曲げることにより形成されている。金属製の板材は、アルミニウム製としたり、ステンレス製としたりすることができる。
【００２６】
底面部２１は、餌木の長さより少し短い長方形状に形成されている。
側壁部２２は、餌木の長さ方向Ｆ１の中央部より拡幅されていることで、奥壁部２３の間隔より排出側Ｓ１の間隔の方が拡がるように形成されている。側壁部２２は、台形状に形成されている。
奥壁部２３には、磁石４０が設けられている。奥壁部２３の背部２３ａは、設置用板部３０に向かって下る傾斜面に形成されている。
【００２７】
磁石４０は、少なくとも釣針に接する釦状の第１磁石４１と、第１磁石を奥壁部２３に固定するための第２磁石４２とを備えることができる。本実施の形態での磁石４０では、釣針に接する第１磁石４１と、奥壁部２３に内蔵された第２磁石４２との間に、第１磁石４１を、第２磁石４２を内蔵する奥壁部２３に吸着させるための釦状の第３磁石４３を介在させている。
第１磁石４１および第３磁石４３は磁力の強いネオジム磁石とすることができる。また、奥壁部２３に内蔵された第２磁石４２は、ネオジム磁石と比較すると磁力が弱いが、耐腐食性の高いフェライト磁石とすることができる。
【００２８】
図１に示すように、設置用板部３０は、一方の板状部材３１を第１領域Ａ１とし、他方の板状部材３２を第２領域Ａ２として、収容部２０の配列方向Ｆ２に並んでいる。
板状部材３１，板状部材３２は、おもて面側が起毛部材により形成されている。また、板状部材３１，板状部材３２の裏面側は、不透水性部材により形成されている。板状部材３１，板状部材３２の裏面に凹凸面が形成されている。
本実施の形態では、板状部材３１，３２が、大判のタイルカーペットから、一辺が約２５ｃｍの正方形を２枚切り出して形成されているため、おもて面が起毛部材であるパイル地により形成され、裏面がアクリル樹脂などよるコーティングにより、不透水性が確保され、凹凸面となっている。
板状部材３１，３２は、連結部材の一例であるリング状の紐部材３３により連結されている。
【００２９】
設置用板部３０には、板状部材３１（第１領域Ａ１）に３個の収容部２０が配置され、板状部材３２（第２領域Ａ２）に３個の収容部２０が配置されていることで、合計６個の収容部２０が設けられている。収容部２０はそれぞれが同じ間隔で配置されている。
【００３０】
設置用板部３０における収容部２０の配列方向Ｆ２の両端部には、釣り竿を船縁に固定するロッドホルダーに餌木投入補助具１０を縛り付けるためのロープ３４が取り付けられている。
第１領域Ａ１と第２領域Ａ２とを向かい合わせで重ね合わせた状態のときに、第１領域Ａ１に配置された収容部２０の間に、第２領域Ａ２に配置された収容部２０が位置するように、この第１領域Ａ１と第２領域Ａ２とに並ぶ収容部２０はずれた位置に配置されている。
【００３１】
次に、本実施の形態に係る餌木投入補助具１０に使用される餌木の一例について、図面に基づいて説明する。
図３に示すように餌木５０は、餌を模した本体部５１と、本体部５１の基端５１ａに、仕掛けの釣糸（枝糸）を繋ぐためのリング状の接続部５２と、本体部５１の先端５１ｂにイカを引っ掛けるための釣針５３とを有している。
本体部５１は、紡錘形状に形成されている。本体部５１は、例えば、中央部から基端５１ａに向かって赤系色に、先端５１ｂに向かって白系色に着色された布により覆われたものとすることができる。
釣針５３は、先端が尖ったＪ字状の細線部材が本体部５１の軸線回りに沿って配置されていることで傘状をなす針部材が、軸線方向に沿って２段並べられている。
【００３２】
以上のように構成された本考案の実施の形態に係る餌木投入補助具１０の使用状態について、図面に基づいて説明する。
餌木投入補助具１０は、例えば、釣船の船縁に配置される。そして、釣竿を固定するためのロッドホルダー（図示せず）にロープ３４を縛り付けることで、餌木投入補助具１０が大きく移動しないようにしておく。
設置用板部３０の裏面側が不透水性を有しているため、船縁が濡れていても、おもて面側に滲み出ることもなく安心して使用することができる。また、設置用板部３０の裏面が凹凸面に形成されているため、凹凸面が滑り止めとして機能するので、船が揺れても滑り落ちることが防止できる。
【００３３】
餌木投入補助具１０が、釣船の船縁に配置されると、図４および図５に示すように、餌木投入補助具１０のそれぞれの収容部２０に餌木５０を配置する。
餌木５０は、収容部２０に、本体部５１の基端５１ａを排出側Ｓ１に、本体部５１の先端５１ｂを奥側Ｓ２に向けて配置される。そのため、収容部２０に餌木５０をセットすると、先端５１ｂの釣針５３が、収容部２０の奥壁部２３に設けられた磁石４０により吸着され、仮固定される。磁石４１は磁力の強いネオジム磁石であるため、しっかりと釣針５３を吸着することで、餌木５０を仮固定することができる。
【００３４】
従って、船が波によって揺られ、餌木投入補助具１０が餌木５０の排出側Ｓ１を下方に向けて傾斜しても、餌木５０がしっかりと収容部２０に仮固定されているため、収容部２０からの滑落を防止することができる。
【００３５】
このとき、一度に６本の餌木５０を収容部２０へ収納させることは難しい。そのため、設置用板部３０が起毛部材により形成されているので、順次、餌木５０を収容部２０へ収納するときに、待機状態にある餌木５０を設置用板部３０に引っ掛けておくことで、釣針５３が付いた餌木５０を安全に待機させることができる。また、釣り終わった後も、餌木５０を設置用板部３０に引っ掛けておくことにより釣糸による縺れも少なくすることができる。
【００３６】
餌木５０を収容部２０にセットしたときには、枝糸（釣糸）は収容部２０の排出側Ｓ１から奥壁部２３の方向へ引かれた状態である。そして、餌木５０を収容部２０にセットすると、枝糸を海側へ引き回す。このとき、釣糸が奥壁部２３へ当たっても奥壁部２３の背部２３ａが傾斜面に形成されているため、釣糸を、奥壁部２３に引っ掛かることなく傾斜面に摺動させながら、収容部２０の排出側Ｓ１へ回り込ませることができる。
【００３７】
餌木５０が餌木投入補助具１０にセットできると、使用者は、釣竿に装着されたリールをフリーの状態とする。そして、使用者は、道糸の先のサルカンから延びる幹糸に、サルカンを介して繋がった錘を、船縁から前方へ、または船縁の下方へ放出する。
海面への錘の投入により、錘が接続された幹糸が引っ張られ、幹糸に接続された枝糸が引っ張られる。これにより、枝糸に接続された餌木５０が引っ張られることで、餌木５０の釣針５３が磁石４０から離脱して、餌木５０が次々と収容部２０から引き出され、海面へ投入される。
【００３８】
このとき、餌木５０が排出側Ｓ１に向かって引き出されるが、枝糸が海側から餌木５０を引くことで、餌木５０を引っ張る方向は斜め下方となる。そのため、収容部２０の排出側Ｓ１の端部を支点として、餌木５０は先端５１ｂが円弧を描きながら持ち上がる。
収容部２０は、排出側Ｓ１および上方側Ｓ３を、餌木５０が通過可能な開放状態としているため、餌木５０は先端５１ｂが持ち上がっても収容部２０に邪魔されることなく、スムーズに移動できる。従って、餌木５０を収容部２０からスムーズに排出させることができる。
よって、餌木投入補助具１０は、セット時に餌木５０を確実に保持でき、投入時に確実に、かつスムーズに投入することができる。
【００３９】
また、収容部２０は、側壁部２２が、奥壁部２３の間隔より排出側Ｓ１の間隔の方が拡がるように形成されているため、枝糸が餌木投入補助具１０の下方ではなく、配列方向Ｆ２にずれたとしても、餌木５０の先端５１ｂが側壁部２２より高い位置まで持ち上がれば、拡がった側壁部２２の排出側Ｓ１で、餌木５０が斜めになりながら、餌木５０を収容部２０から落下させることができる。従って、餌木５０の姿勢が傾斜しても、スムーズに収容部２０から排出することができる。
【００４０】
このようにして、餌木投入補助具１０を使用していると、塩水に濡れた釣針５３が接する第１磁石４１は徐々に錆び付いて腐食する。しかし、図１に示すように第１磁石４１は第３磁石４３を介在させて第２磁石４２に吸着している。従って、腐食してしまった第１磁石４１を交換すれば、腐食により弱まった磁力を元の状態に戻すことができる。
【００４１】
イカ釣りが終了すると、ロッドホルダーに巻回していたロープ３４を解き、図６に示すように、設置用板部３０の板状部材３１（第１領域Ａ１）と、板状部材３２（第２領域Ａ２）とを、向かい合わせにして、重ね合わせる。
板状部材３１，３２を向かい合わせで重ね合わせた状態のときに、板状部材３１に配置された収容部２０の間に、板状部材３２に配置された収容部２０が位置しているため、そのため、板状部材３１に並ぶ収容部２０と、板状部材３２に並ぶ収容部２０とが嵩張ることなく、餌木投入補助具１０を折り畳むことができる。従って、餌木投入補助具１０をコンパクトな状態で持ち運んだり、保管したりすることができる。
【００４２】
また、設置用板部３０は、板状部材３１と板状部材３２とに分割され、紐部材３３により連結されているため、板状部材３１と板状部材３２との折り畳みが容易であると共に、板状部材３１と板状部材３２とが離ればなれになることが防止できる。
【００４３】
なお、本実施の形態では、設置用板部３０が板状部材３１と板状部材３２とによる２枚の板状部材により形成されているが、第１領域と第２領域とによる二つ折りが容易であれば１枚の板状部材により形成されていてもよい。
【００４４】
また、磁石４０は、釣針５３に吸着する第１磁石４１が奥壁部２３に内蔵された第２磁石４２に第３磁石４３を介在させて吸着しているが、第３磁石４３は省略してもよい。
また、収容部２０は、底面部２１と側壁部２２と奥壁部２３とにより断面コ字状に形成されているが、餌木の上方側が、餌木が通過可能な開放状態であれば、収容部を円筒状のものとしてもよい。
【００４５】
更に、餌木５０はイカ角やスッテなどとしてもよいし、餌木５０に餌を付けた状態で海面に投入してもよい。
【産業上の利用可能性】
【００４６】
本考案の擬餌鉤投入補助具は、道糸に沿って枝糸を繋ぎ、枝糸の先端に擬餌鉤を繋いでイカ釣りをする際に好適である。特に、本考案の擬餌鉤投入補助具は、船縁から船釣する際に最適である。
【符号の説明】
【００４７】
１０  餌木投入補助具
２０  収容部
２１  底面部
２２  側壁部
２３  奥壁部
２３ａ  背部
３０  設置用板部
３１  板状部材
３２  板状部材
３３  紐部材
３４  ロープ
４０  磁石
４１  第１磁石
４２  第２磁石
４３  第３磁石
５０  餌木
５１  本体部
５１ａ  基端
５１ｂ  先端
５２  接続部
５３  釣針
Ａ１  第１領域
Ａ２  第２領域
Ｓ１  排出側
Ｓ２  奥側
Ｓ３  上方側
Ｆ１  餌木の長さ方向
Ｆ２  配列方向
【図１】
0003207159.tif 000003
【図２】
0003207159.tif 000004
【図３】
0003207159.tif 000005
【図４】
0003207159.tif 000006
【図５】
0003207159.tif 000007
【図６】
0003207159.tif 000008